(57)【要約】【課題】電動バリカンを握った状態で、様々な状況になったとしても、手の指一つで、バリカン刃の刈り高さの調整（上刃と下刃の噛み合わせ量の変更）を行うことができるバリカン刃を提供する。【解決手段】本発明は、バリカン本体２の先端部に取り付け可能な取付ベース５と、取付ベース５に対して前後方向に移動自在に配設されたスライダ１３と、取付ベース５の下側に配設されている下刃６と、下刃６に重合し且つ左右方向に摺動自在となるように取付ベース５の前部に配設されている上刃７とを備えているバリカン刃４において、下刃６は、スライダ１３と一体となるように取り付けられていて、上刃７は、バリカン本体２に設けられ且つ左右に往復揺動する駆動部３に係合する係合部２２を有し、スライダ１３を取付ベース５に対して前後方向に相対移動させて、上刃７に対する下刃６の前後方向の突き出し量を調整する下刃調整手段２６が設けられている。【選択図】図１
2019136220.tif 000002
【特許請求の範囲】
【請求項１】
バリカン本体の先端部に取り付け可能な取付ベースと、前記取付ベースに対して前後方向に移動自在に配設されたスライダと、前記取付ベースの下側に配設されている下刃と、前記下刃に重合し且つ左右方向に摺動自在となるように前記取付ベースの前部に配設されている上刃と、を備えているバリカン刃において、
前記下刃は、前記スライダと一体となるように取り付けられていて、
前記上刃は、前記バリカン本体に設けられ且つ左右に往復揺動する駆動部に係合する係合部を有し、
前記スライダを、前記取付ベースに対して前後方向に相対移動させて、前記上刃に対する前記下刃の前後方向の突き出し量を調整する下刃調整手段が設けられている
ことを特徴とするバリカン刃。
【請求項２】
前記下刃調整手段は、上下方向軸心回りに回転することによって、前記スライダを取付ベースに対して前後方向に移動させるロータリー式の調整部を備えていることを特徴とする請求項１に記載のバリカン刃。
【請求項３】
前記下刃調整手段は、前記取付ベースと、前記スライダと、前記調整部とから構成されていて、
前記取付ベースは、その上面に前記スライダが上方から嵌まり込む上面凹部が形成されているとともに、その下面には前記調整部が下方から嵌まり込む下面凹部が形成されていて、
前記上面凹部の底面壁と前記下面凹部の上面壁とを貫通し且つ、前後方向を向く長孔が設けられており、
前記取付ベースの下面凹部には、前記上壁から垂下するように設けられ且つ、軸心が上下方向を向いている回動軸が形成されていて、当該下面凹部の側壁には、複数の位置決め凹部を有する係合溝が形成されていて、
前記調整部は、円板形状を呈し、前記下面凹部内の前記回動軸に中心部が嵌まり込み且つ、当該回動軸回りに回動自在となっていて、
前記調整部の周縁には、前記係合溝の位置決め凹部に係合可能な外方突出状とされた係合片と、径内方向に凹状に切り欠かれた切り欠き部とが形成されていて、
前記スライダは、その下面に垂下状に設けられた移動片を有するとともに、前記上面凹部内を前後方向にスライド自在とされていて、
前記取付ベースの上面凹部に前記スライダが嵌り込み、前記取付ベースの下面凹部に前記調整部が嵌まり込んだ際には、前記スライダの前記移動片が、前記上面凹部の底壁に設けられた貫通状の長孔を介して、前記調整部の切り欠き部に係合するように構成されている
ことを特徴とする請求項２に記載のバリカン刃。
【請求項４】
前記調整部には、前記係合片と対向する位置に、後部側へ突出する操作レバーが設けられている
ことを特徴とする請求項３に記載のバリカン刃。
【請求項５】
前記上刃は、前記取付ベースに取り付けられた押圧体により、前記下刃に対して左右方向に摺動自在に押し付けられている
ことを特徴とする請求項１に記載のバリカン刃。
【発明の詳細な説明】
【技術分野】
【０００１】
本発明は、人間の頭髪（毛髪）や、ペットなど動物の毛などを刈り取るために使用する電動バリカンの刃に関する。
【背景技術】
【０００２】
従来より、電動バリカンで人間の頭髪等を刈る際、頭髪等の刈り高さを調節することができる電動バリカンが普及している。
例えば、重ね合わされた上刃と下刃の噛み合わせ量を変更することで、頭髪等の刈り高さを調整することができるバリカン刃が知られている（例えば、特許文献１参照）。
【先行技術文献】
【特許文献】
【０００３】
【特許文献１】特開２００４−１８１１２４号公報
【発明の概要】
【発明が解決しようとする課題】
【０００４】
特許文献１には、電動バリカンの先端部に取け付けられていて、上刃と下刃の位置（前後方向の位置関係）を変更することで、頭髪等の刈り高さを調整することが可能な調整手段を有するバリカン刃が開示されている。
その調整手段は、下刃（固定刃）が連動連結されたスライダと、スライダに連動連結されたピニオンギア（中間ギア）と、ピニオンギアが歯合するラック部（ラックギア）を備えた操作部材と、からなる構成である。
【０００５】
調整手段は、電動バリカンの本体の長手方向に対して略直交で且つ水平方向に、操作部材の操作レバーを動かす構成である。
この調整手段を備えた電動バリカンを握った状態で、バリカン刃の刈り高さを調整する際において、一般に、手の指（主に親指）で操作レバーを動かして調整する。
しかしながら、特に手の親指を動かすとわかるように、水平方向には動かしづらく、略半円形状に動かし易いものである。
【０００６】
このような、水平方向に動くラックギアとピニオンギアの構成である調整手段では、例えば、頭髪をカットする際、場所によって髪の長さを変えるなどの使用状況によっては、電動バリカンを持つ角度などが異なってくるので、この調整手段であっても、バリカン刃の刈り高さの調整を行いにくくなることがある。
上記したバリカン刃の操作性に対する要望は、使用者などにより挙げられていた。
【０００７】
そこで、本発明は、上記問題点に鑑み、電動バリカンを握った状態で、様々な状況になったとしても、手の指一つで簡便に、バリカン刃の刈り高さの調整（上刃と下刃の噛み合わせ量の変更）を行うことができるバリカン刃を提供することを目的とする。
【課題を解決するための手段】
【０００８】
上記の目的を達成するため、本発明においては以下の技術的手段を講じた。
本発明にかかるバリカン刃は、バリカン本体の先端部に取り付け可能な取付ベースと、前記取付ベースに対して前後方向に移動自在に配設されたスライダと、前記取付ベースの下側に配設されている下刃と、前記下刃に重合し且つ左右方向に摺動自在となるように前記取付ベースの前部に配設されている上刃と、を備えているバリカン刃において、前記下刃は、前記スライダと一体となるように取り付けられていて、前記上刃は、前記バリカン本体に設けられ且つ左右に往復揺動する駆動部に係合する係合部を有し、前記スライダを、前記取付ベースに対して前後方向に相対移動させて、前記上刃に対する前記下刃の前後方向の突き出し量を調整する下刃調整手段が設けられていることを特徴とする。
【０００９】
好ましくは、前記下刃調整手段は、上下方向軸心回りに回転することによって、前記スライダを取付ベースに対して前後方向に移動させるロータリー式の調整部を備えているとよい。
好ましくは、前記下刃調整手段は、前記取付ベースと、前記スライダと、前記調整部とから構成されていて、前記取付ベースは、その上面に前記スライダが上方から嵌まり込む上面凹部が形成されているとともに、その下面には前記調整部が下方から嵌まり込む下面凹部が形成されていて、前記上面凹部の底面壁と前記下面凹部の上面壁とを貫通し且つ、前後方向を向く長孔が設けられており、前記取付ベースの下面凹部には、前記上壁から垂下するように設けられ且つ、軸心が上下方向を向いている回動軸が形成されていて、当該下面凹部の側壁には、複数の位置決め凹部を有する係合溝が形成されていて、前記調整部は、円板形状を呈し、前記下面凹部内の前記回動軸に中心部が嵌まり込み且つ、当該回動軸回りに回動自在となっていて、前記調整部の周縁には、前記係合溝の位置決め凹部に係合可能な外方突出状とされた係合片と、径内方向に凹状に切り欠かれた切り欠き部とが形成されていて、前記スライダは、その下面に垂下状に設けられた移動片を有するとともに、前記上面凹部内を前後方向にスライド自在とされていて、前記取付ベースの上面凹部に前記スライダが嵌り込み、前記取付ベースの下面凹部に前記調整部が嵌まり込んだ際には、前記スライダの前記移動片が、前記上面凹部の底壁に設けられた貫通状の長孔を介して、前記調整部の切り欠き部に係合するように構成されているとよい。
【００１０】
好ましくは、前記調整部には、前記係合片と対向する位置に、後部側へ突出する操作レバーが設けられているとよい。
好ましくは、前記上刃は、前記取付ベースに取り付けられた押圧体により、前記下刃に対して左右方向に摺動自在に押し付けられているとよい。
【発明の効果】
【００１１】
本発明によれば、電動バリカンを握った状態で、様々な状況になったとしても、簡便に、バリカン刃の刈り高さの調整（上刃と下刃の噛み合わせ量の変更）を行うことができる。
【図面の簡単な説明】
【００１２】
【図１】本発明にかかるバリカン刃の概略を模式的に示した図である（左図：下刃が後退した状態、右図：下刃が前進（突出）した状態）。
【図２】本発明のバリカン刃の分解図である。
【図３】本発明のバリカン刃に備えられている下刃調整手段の概略を模式的に示した図である（左図：下刃が後退した状態（図１左図に対応）、右図：下刃が前進した状態（図１右図に対応））。
【図４】下刃の前後方向の突き出し量（バリカン刃の刈り高さＬ）を模式的に示した図である。
【図５】本発明のバリカン刃が取り付けられた電動バリカンの概略を模式的に示した図である。
【発明を実施するための形態】
【００１３】
以下、本発明にかかるバリカン刃４の実施形態を、図を参照して説明する。
なお、以下に説明する実施形態は、本発明を具体化した一例であって、その具体例をもって本発明の構成を限定するものではない。また、図面に関して、見やすくするため、構成部品の一部を省略して描いている。
また、バリカン刃４の前後及び左右等の方向については、図１に示す通りである。これはバリカン刃４を手にした使用者から見た方向と一致する。以降の説明においては、図１に示す方向を、本発明のバリカン刃４を説明する際の方向とする。
【００１４】
図１〜図４は、本発明にかかるバリカン刃４の実施形態を示している。図５は、バリカン刃４が先端部に取り付けられている電動バリカン１の実施形態を示している。
図５に示すように、本実施形態の電動バリカン１は、長尺で中空円筒状のバリカン本体２と、このバリカン本体２の内部に格納されている駆動部３（例えば、電動モータ）と、バリカン本体２の前（先）端部に設けられ、且つ、駆動部３によって上刃７が左右方向に動作するバリカン刃４とを備えている。また、バリカン本体２には、駆動部３の電源を入れるスイッチ（図示せず）が設けられている。
【００１５】
なお、バリカン本体２には、バリカン刃４を支持するための噛合部４４と挿入部４５が設けられている。噛合部４４は、後述する取付ベース５の支持ブラケット９が噛み合わされるものである。また、挿入部４５は、後述する押圧ばね８の後突設部２５が挿入されるものである（図５参照）。
図１〜図４に示すように、本実施形態のバリカン刃４は、バリカン本体２の先端部に取り付け可能な取付ベース５と、この取付ベース５の下面に配備されている下刃６と、この取付ベース５の前方で且つ下刃６の上面に配備されている上刃７と、この上刃７に取り付けられ、当該上刃７を下刃６に対して押し付ける押圧ばね８と、を備えている。上刃７は、下刃６に対して左右方向に移動自在となるように重ね合わされて駆動部３によって左右方向に動作する可動刃である。
【００１６】
まず、バリカン刃４を構成する取付ベース５は、平板部材であって、後側が略半円形状、乃至は、略半楕円形状とされていて、上面には左右一対の支持ブラケット９が立設されている。
図１、図２、図５に示すように、支持ブラケット９は、上方に突出し且つ、前方へも突出した形状とされていて、前方の突出片がバリカン本体２内に設けられている噛合部４４に噛み合うようになっている。
【００１７】
この支持ブラケット９と噛合部４４との噛み合いと、後述する押圧ばね８の後端の後突設部２５がバリカン本体２内に設けられている挿入部４５に挿入されることで、バリカン刃４がバリカン本体２に支持される。
また、支持ブラケット９には、軸心が左右方向を向く、貫通孔１０が形成されている。貫通孔１０には、上刃７を支持する支持シャフト１１が挿入される。
【００１８】
つまり、取付ベース５上の支持ブラケット９間に、支持シャフト１１が左右方向に架設されるとともに、支持シャフト１１に押圧ばね８のコイル部１２が外嵌される（図２中のＤ参照）。
この押圧ばね８の先端（押圧脚部２４）が、上刃７（可動プレート２１）を押し付けることで、上刃７は下刃６に対して密着状態となるも、左右方向には移動自在となっている。
【００１９】
すなわち、上刃７と取付ベース５は、押圧ばね８を介して連結されている。
また、取付ベース５の上面には、上面凹部２７が形成されていて、その上面凹部２７に上方から、前後方向に自在に移動するスライダ１３が嵌り込んでいる。
図２に示すように、スライダ１３は、略横長矩形状に形成されていて、取付ベース５に対して前後方向に移動自在に配設されている。そのスライダ１３の左右両端部のそれぞれには、スライド片１４が突設されている。そのスライド片１４には、ねじ孔１５が形成されている。
【００２０】
ねじ孔１５を有するスライド片１４は、取付ベース５の上面凹部２７に形成された前後方向に長いスライド孔１６に収納され、前後方向に移動可能となっている。この各スライド片１４の下面は、スライド孔１６を介して、取付ベース５の下面と面一となっている。
また、取付ベース５の下側には、下刃６が配設されている。
この取付ベース５の下面と、下刃６の上面とが付き合わされた（下刃６と取付ベース５が重合された）状態で、固定ねじ１７が下刃６の貫通孔１８より貫通し、スライド片１４のねじ孔１５に螺合することによって、スライダ１３と下刃６が一体となるように連結される（図２中の矢印Ｃ参照）。
【００２１】
このように、スライド孔１６に嵌り込んだスライド片１４が前後方向に移動することで、下刃６がスライダ１３とともに、取付ベース５の上面凹部２７を前後方向に連動する。
上刃７は、下刃６の上面側で、その下刃６に重合し且つ、左右方向に摺動自在となるように、取付ベース５の前部に配設されている。
この上刃７は、前端縁に櫛歯状の切断上刃１９が形成されている上刃本体２０と、上刃本体２０が固定された可動プレート２１と、を有している。また、可動プレート２１の上面には、バリカン本体２内に設けられ且つ、左右に往復揺動する駆動部３に係合する係合部２２が立設されている。
【００２２】
なお、下刃６の前端縁には、切断上刃１９が上から摺接する櫛歯状の切断下刃２３が形成されている。
押圧ばね８は、支持シャフト１１を外嵌するコイル部１２と、そのコイル部１２から前方へ延びる左右一対の押圧脚部２４と、を有している。
コイル部１２は、線材を複数回巻いた部材で、その軸心が水平且つ左右方向を向いている。このコイル部１２は、巻回部内に支持シャフト１１が嵌入されるようになっており、間隔を空けて左右一対設けられている。
【００２３】
押圧脚部２４は、左右一対のコイル部１２のそれぞれから、前方へ延びる長尺の線材であって、先端は下方に曲げられている。その先端は、可動プレート２１に設けられた孔に挿入される。
この押圧脚部２４の先端部が可動プレート２１に連結されることにより、切断上刃１９が切断下刃２３に対して押圧された状態で、上刃７が下刃６の上面において左右方向に移動自在となるように重合されている。
【００２４】
つまり、上刃７は、取付ベース５に取り付けられた押圧ばね８（押圧体）により、下刃６に対して左右方向に摺動自在に押し付けられている。
さらに、本発明においては、コイル部１２から後方へ延びる後突設部２５（詳細は後述）を有している。
本実施形態のバリカン刃４は、スライダ１３を、取付ベース５に対して前後方向に相対移動させて、上刃７に対する下刃６の前後方向の突き出し量（下刃６の位置）を調整する下刃調整手段２６を備えている。
【００２５】
図１〜５に示すように、下刃調整手段２６は、取付ベース５と、スライダ１３と、調整部３６とから構成されていている。調整部３６は、ロータリー（ダイヤル）式とされており、電動バリカン１の下面側（上刃７・下刃６の下側）より操作可能となっている。
そのロータリー式の調整部３６を、手の指（例えば、親指）などで、バリカン本体２の外周に沿うように、回転させることにより、下刃６の前後方向の突き出し量（バリカン刃４の刈り高さＬ）を、複数の段階で調整することができる。
【００２６】
図１〜図３に示すように、取付ベース５は、略半円形状乃至は半楕円形状とされた平板部材であって、その上面には、スライダ１３が上方から嵌まり込む上面凹部２７が形成されている。また、取付ベース５の下面には、調整部３６が下方から嵌まり込む下面凹部２８が形成されている。
図２に示すように、上面凹部２７は、左右方向の幅がスライダ１３の幅と同じあるいは若干小さいものとされている。また、上面凹部２７の前後方向の長さは、取付ベース５の前端縁から中央よりやや後方までの長さとされている。
【００２７】
また、取付ベース５の上面凹部２７の底壁（底面）、下面凹部２８の上壁（上面）とを貫通し且つ、前後方向を向く長孔３１（移動孔）が設けられている。
また、上面凹部２７内の底面には、スライダ１３の案内溝２９が嵌り込む長尺の案内レール３０が、前後方向を向いて設けられている。なお、取付ベース５の上面とスライダ１３の上面は、面一の状態となっている。
【００２８】
また、取付ベース５の下面凹部２８には、その上壁から垂下するように設けられ且つ、軸心が上下方向を向いている回動軸３３が形成されている。
回動軸３３は、円柱状の棒材として形成されていて、下面凹部２８の略中央に一つ設けられている。回動軸３３は、調整部３６が回動自在となるように、調整部３６の中心部３７に形成されている貫通孔に嵌り込む。なお、回動軸３３の下面は、取付ベース５の下面と面一とされている。
【００２９】
また、下面凹部２８の側壁（前側壁）には、複数の位置決め凹部３５を有する係合溝３４が形成されている。
係合溝３４は、回動軸３３の周りに沿う円形状の壁面に、複数の位置決め凹部３５が波形状で形成されているものである。本実施形態においては、係合溝３４の位置決め凹部３５は丸溝であって、５個形成されている。
【００３０】
このように、本実施形態では、下刃６の前後方向の突き出し量（バリカン刃４の刈り高さＬ）を、５段階で調整することが可能となっている。
図２に示すように、調整部３６は、上下方向軸心回りに回転することによって、スライダ１３を取付ベース５に対して前後方向に移動させるロータリー式となっている。
詳しくは、調整部３６は、略円板形状を呈し、その中心部３７が貫通孔とされている。調整部３６の中心部３７が、下面凹部２８内に設けられている回動軸３３に嵌まり込み且つ、回動軸３３回りに回動自在となっている（図２中の矢印Ａ参照）。
【００３１】
この調整部３６の周縁には、係合溝３４の位置決め凹部３５に係合可能な外方突出状とされた係合片４０と、径内方向に凹状に切りかかれた切り欠き部３８とが形成されている。
なお、本実施形態においては、第１の切り欠き部３８と呼ぶこととする。この第１の切り欠き部３８には、スライダ１３の移動片３２が嵌り込むようになっている（図２中の矢印Ｂ参照）。
【００３２】
また、本実施形態では、係合片４０を、調整部３６とは別の部材としている。この係合片４０については、調整部３６と一体としてもよいし、本実施形態のように、別の部材としてもよい。
また、調整部３６の周縁には、別の部材とされた係合片４０が嵌り込む第２の切り欠き部３９が形成されている。
【００３３】
係合片４０は、先端が丸い突起４１が形成されており、この突起４１は係合溝３４の位置決め凹部３５に嵌り込むようになっている。つまり、係合片４０の突起４１の曲面と、係合溝３４の位置決め凹部３５の曲面は、略同じＲ（半径）とされている。
また、係合片４０には、突起４１を係合溝３４の位置決め凹部３５に対して、前方へ向かって付勢するコイルばね４２が収納されている。
【００３４】
図３に示すように、操作レバー４３（詳細は後述）を左右方向に移動させて、係合片４０の突起４１を、取付ベース５の下面凹部２８に形成されている、係合溝３４のいずれかの位置決め凹部３５に強制的に嵌合させることにより、調整部３６の左右方向位置を、間欠的に位置決めできるようになっている。
このように、調整部３６の操作レバー４３を手の指で操作して、左右いずれかの方向に移動させると、スライダ１３が上面凹部２７を前後方向に移動する。そのスライダ１３に連動連結されている下刃６が取付ベース５に対して前後方向に相対移動し、下面凹部２８内の係合片４０がいずれかの位置決め凹部３５に嵌合されるようになる。これにより、上刃７と下刃６の噛み合わせ量が変化するので、バリカン刃４の刈り高さＬを、段階的に調整することができるようになっている。
【００３５】
調整部３６には、調整部３６の後部であって、係合片４０と対向する位置に、後部側へ突出する操作レバー４３が設けられている。この操作レバー４３は、嵌まり込んだ回動軸３３回りに回動する調整部３６（図２中の矢印Ａ参照）に設けられているので、その回動軸３３回りに調整部３６とともに回動する。
また、操作レバー４３は、使用者の手の指（例えば、親指のみ）で押したりするなど、ワンタッチで操作しやすい大きさであることが好ましい。
【００３６】
例えば、図２に示すように、手の指で確実で且つワンタッチで操作できる（指で押せる又は摘める）面積を有していて、且つ、斜め上方に突出した形状とされているとよい。本実施形態の操作レバー４３は、調整部３６の後部から、後方へ一体に突設された部材である。なお、操作レバー４３は、別体の部材とし、調整部３６の後部に取り付けられていてもよい。
【００３７】
なお、調整の段数（バリカン刃４の刈り高さＬの種類）については、本実施形態で挙げた例に限らず、任意に設定することが可能である。
また、この操作レバー４３と係合片４０の位置関係については、図示しているように、対向に配置にしてもよいし、調整部３６の操作が行いやすいものであれば、例えば、少しずらした位置に設定してもよい。
【００３８】
図２、図３に示すように、スライダ１３は、その下面に垂下状に設けられた移動片３２を有するとともに、上面凹部２７内を前後方向にスライド自在とされている。
移動片３２は、下面の略中央に、円柱状の棒部材として垂下状に形成されている。この移動片３２は、上面凹部２７のスライド孔１６を貫通し、且つ、調整部３６の第１の切り欠き部３８に嵌り込むものである。
【００３９】
すなわち、取付ベース５の上面凹部２７にスライダ１３が嵌まり込み、取付ベース５の下面凹部２８に調整部３６が嵌まり込んだ際には、スライダ１３の移動片３２が、上面凹部２７の底壁に設けられた貫通状の長孔３１を介して、調整部３６の第１の切り欠き部３８に係合するように構成されている。
ここで、本発明のバリカン刃４に備えられている押圧ばね８について、説明する。
【００４０】
押圧ばね８は、上でも述べたが、支持シャフト１１を外嵌するコイル部１２と、そのコイル部１２から前方へ延びる左右一対の押圧脚部２４とを有している。
この押圧脚部２４が可動プレート２１を介して、切断上刃１９を切断下刃２３に対して押圧している。
さらに、本発明の押圧ばね８は、コイル部１２から後方へ延びる後突設部２５を有している。この後突設部２５は、左右一対のコイル部１２の間に設けられていて、平面視でＵ字形状に曲げられた線材である。
【００４１】
図５に示すように、押圧ばね８の後突設部２５を、バリカン本体２に設けられた挿入部４５に挿入して、取付ベース５の支持ブラケット９を、バリカン本体２に設けられた噛合部４４の噛み合わせることにより、押圧ばね８の反力で取付ベース５がバリカン本体２に押し付けられることとなる。これにより、支持ブラケット９と噛合部４４が常に噛み合うこととなり、バリカン刃４がバリカン本体２に支持される。
［作動態様］
次いで、本発明のバリカン刃４及び電動バリカン１の作動態様について、図を参照しながら説明する。
【００４２】
まず、本実施形態の電動バリカン１で頭髪等の刈り込みを行うには、スイッチをオンにしてバリカン本体２内の電動モータ３（駆動部）を作動させる。すると、その電動モータ３に直結されている可動プレート２１の係合部２２が左右に揺動し、この係合部２２を介して連動連結されているバリカン刃４の上刃７が下刃６に対して左右方向にスライドする。これにより、切断上刃１９と切断下刃２３の間で、頭髪等を切断することができるようになる。
【００４３】
ここで、本発明のバリカン刃４による刈り込み高さを調節するには、下刃調整手段２６の操作レバー４３を手の指で操作して左右いずれかに移動させる。
例えば、図１、図３、図４の左図に示すように、手の指で操作レバー４３を左方向に移動させると、調整部３６が取付ベース５の下面凹部２８に形成されている回動軸３３回りに左方向に回動する。すると、調整部３６の第１の切り欠き部３８内に嵌り込んでいる移動片３２が、後方向に移動する。この移動片３２は、取付ベース５に形成されている長孔３１（移動孔）内を後方向に移動する。
【００４４】
左右一対のスライド片１４が、取付ベース５に形成されているスライド孔１６内を後方向に移動して、スライダ１３が上面凹部２７内を後方向に摺動する。
スライダ１３に連動連結されている下刃６は、取付ベース５に対して後方向に相対移動する。
なお、調整部３６の係合片４０は、図３の左図に示すように、係合溝３４上を左側から右側へ移動し、最も右側の位置決め凹部３５に強制的に嵌合させられる。その位置決め凹部３５の嵌合した係合片４０は、コイルばね４２により付勢され、調整部３６は間欠的に位置決めされている。
【００４５】
このように、下面凹部２８内において、係合片４０が最も右側の位置決め凹部３５に嵌合されることにより、上刃７と下刃６の噛み合わせ量が、図４の左図に示すように変化する（下刃６の前方向への突き出し量が少ない）。これにより、バリカン刃４の刈り高さＬを、低く調整することができ、頭髪などを短く刈ることができる。
一方で、図１、図３、図４の右図に示すように、手の指で操作レバー４３を右方向に移動させると、調整部３６が取付ベース５の下面凹部２８に形成されている回動軸３３回りに右方向に回動する。すると、調整部３６の第１の切り欠き部３８内に嵌り込んでいる移動片３２が、前方向に移動する。この移動片３２は、取付ベース５に形成されている長孔３１（移動孔）内を前方向に移動する。
【００４６】
左右一対のスライド片１４が、取付ベース５に形成されているスライド孔１６内を前方向に移動して、スライダ１３が上面凹部２７内を前方向に摺動する。
スライダ１３に連動連結されている下刃６は、取付ベース５に対して前方向に相対移動する。
なお、調整部３６の係合片４０は、図３の右図に示すように、係合溝３４上を右側から左側へ移動し、最も左側の位置決め凹部３５に強制的に嵌合させられる。その位置決め凹部３５の嵌合した係合片４０は、コイルばね４２により付勢され、調整部３６は間欠的に位置決めされている。
【００４７】
このように、下面凹部２８内において、係合片４０が最も左側の位置決め凹部３５に嵌合されることにより、上刃７と下刃６の噛み合わせ量が、図４の右図に示すように変化する（下刃６の前方向への突き出し量が多い）。これにより、バリカン刃４の刈り高さＬを、高く調整することができ、頭髪などを長めに刈ることができる。
以上、本発明のバリカン刃４に設けられた下刃調整手段２６を、手の指（親指）で操作することにより、上刃７と下刃６の噛み合わせ量を間欠的に（本実施形態では５段階）に変化させることができるので、バリカン刃４の刈り高さＬを任意の段階的に調整することが、ワンタッチで容易にできるようになっている。
【００４８】
また、本発明のバリカン刃４は、下刃調整手段２６をロータリー式を採用しているので、装置全体をコンパクトに構成することができる。
なお、今回開示された実施形態はすべての点で例示であって制限的なものではないと考えられるべきである。
特に、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００４９】
１  電動バリカン
２  バリカン本体
３  駆動部（電動モータ）
４  バリカン刃
５  取付ベース
６  下刃
７  上刃
８  押圧ばね
９  支持ブラケット
１０  貫通孔
１１  支持シャフト
１２  コイル部
１３  スライダ
１４  スライド片
１５  ねじ孔
１６  スライド孔
１７  固定ねじ
１８  貫通孔（下刃）
１９  切断上刃
２０  上刃本体
２１  可動プレート
２２  係合部
２３  切断下刃
２４  押圧脚部
２５  後突設部
２６  下刃調整手段
２７  上面凹部
２８  下面凹部
２９  案内溝
３０  案内レール
３１  長孔（移動孔）
３２  移動片
３３  回動軸
３４  係合溝
３５  位置決め凹部
３６  調整部
３７  中心部
３８  切り欠き部（第１の切り欠き部）
３９  第２の切り欠き部
４０  係合片
４１  突起
４２  コイルばね
４３  操作レバー
４４  噛合部
４５  挿入部
【図１】
2019136220.tif 000003
【図２】
2019136220.tif 000004
【図３】
2019136220.tif 000005
【図４】
2019136220.tif 000006
【図５】
2019136220.tif 000007